(57)【要約】【課題】紙製の包装箱において、その構造が簡単で、組立が容易であり、商品を入れやすく、かつ商品を保持しやすく、また開けやすい包装箱を提供することを課題とする。【解決手段】矩形の底面および天面を有しており、底面には、左右の縦側面、手前側の縦側面、および後方の縦側面が、折り曲げ可能に連続しており、左右の縦側面には、それぞれ折り曲げ可能に左右フラップが連続し、手前側の縦側面には、折り曲げ可能に前フラップが連続し、後方の縦側面には、矩形の天面が連続しており、左右の縦側面と左右フラップの境界には、天面との係止用のスリットおよび前フラップとの係止用のスリットを有しており、また手前側の縦側面と前フラップの境界には、天面との係止用のスリットを有しており、各係止用のスリットに差し込むためのタブが、前フラップの左右、天面の左右、および天面の手前側に設けてある包装箱である。【選択図】図１
2017186039.tif 000002
【特許請求の範囲】
【請求項１】
一枚の紙製のブランクスを用いて組立可能な直方体の包装箱であって、矩形の底面および天面を有しており、
矩形の底面の４辺には、左右の縦側面、手前側の縦側面、および後方の縦側面が、折り曲げ可能に連続しており、
左右の縦側面には、それぞれ折り曲げ可能に左右フラップが連続し、手前側の縦側面には、折り曲げ可能に前フラップが連続し、後方の縦側面には、底面と同じ矩形の天面が連続しており、
左右の縦側面と左右フラップとの境界には、それぞれ１箇所づつ天面との係止用のスリットを有しており、
加えて左右の縦側面と左右フラップとの境界には、それぞれ１箇所づつ前フラップとの係止用のスリットを有しており、
また手前側の縦側面と前フラップとの境界には、天面との係止用のスリットを有しており、
各係止用のスリットに差し込むためのタブが、前フラップの左右、天面の左右、および天面の手前側に連続して設けてあり、
左右の縦側面を底面から垂直に折り曲げた後、さらに左右フラップを底面に平行に折り曲げ、
手前側の縦側面を底面から垂直に折り曲げた後、前フラップを底面に平行に折り曲げるとともに、
前フラップの左右に連続している係止用タブを、左右の縦側面と左右フラップとの境界の係止用のスリットのうち、１箇所づつに差し込んで前および左右フラップを固定し、内容物を包装箱に挿入して固定できるようにするとともに、
後方の縦側面を底面から垂直に折り曲げた後、天面を底面に平行に折り曲げるとともに、天面の左右に連続している係止用タブを、左右の縦側面と左右フラップとの境界の係止用のスリットの１箇所づつに差し込み、
同時に天面の手前側に連続する係止用タブを、手前側の縦側面と前フラップとの境界の係止用のスリットに差し込んで天面を固定して、直方体に組み立て可能であることを特徴とする包装箱。
【発明の詳細な説明】
【技術分野】
【０００１】
本発明は、包装箱に関するものである。とくに、構造が簡素で組立が容易であり、中身を入れやすく、丈夫な紙製の箱型の包装箱に関するものである。
【背景技術】
【０００２】
紙製の包装箱は古来様々な用途において用いられ、産業や生活になくてはならないものとして広く定着している。素材であるダンボールや板紙は、原料がパルプであり、また印刷や他の素材とのラミネートなどの加工もしやすく、安価であることが最大の利点である。
【０００３】
また近年では、紙を素材としていることが、焼却が容易でリサイクルが可能であるなど使用後の場面においても環境適合型の材料であることがその存在価値を高めている。また用途に応じて、紙以外にも包装箱の素材として紙の加工品や、プラスチックシートなどが用いられる場合もある。
【０００４】
紙製の包装箱は多くの場合、展開図によって断裁された一枚の板紙、もしくはいくつかのパーツから構成される。一般に組立箱としては、それぞれのダンボールや板紙を展開図の折線に従って折り曲げて、方形などの箱に組み立てることが行なわれている。
【０００５】
たとえば、ショッピングパッケージとも呼ばれる、商品を包装して消費者に渡すための紙製の包装箱などにおいては、組立の容易さや、商品の入れやすさ、商品の保持性、包装箱の頑強さ、などが求められる一方で、包装箱としての開けやすさも求められる。
【０００６】
これらを満たすことができない場合には、梱包作業の作業性の低下や、梱包した後においても、実際に輸送時や保管時において商品価値の低下や、さらには消費者からのクレームに結びつく場合がある。
【０００７】
特許文献１には、包装箱として、組立式包装箱が提案されているが、構造が複雑な上組立にも手間がかかり、必ずしも商品を包装しやすいとはいえない、などの問題点を抱えていた。
【先行技術文献】
【特許文献】
【０００８】
【特許文献１】実開昭６２−３３５１６号公報
【発明の概要】
【発明が解決しようとする課題】
【０００９】
本発明はかかる状況に鑑みてなされたものであり、紙製の包装箱において、その構造が簡単で、組立が容易であり、商品を入れやすく、かつ商品を保持しやすく、また開けやすい包装箱を提供することを課題とする。
【課題を解決するための手段】
【００１０】
上記の課題を解決するための手段として、請求項１に記載の発明は、一枚の紙製のブランクスを用いて組立可能な直方体の包装箱であって、矩形の底面および天面を有しており、矩形の底面の４辺には、左右の縦側面、手前側の縦側面、および後方の縦側面が、折り曲げ可能に連続しており、左右の縦側面には、それぞれ折り曲げ可能に左右フラップが連続し、手前側の縦側面には、折り曲げ可能に前フラップが連続し、後方の縦側面には、底面と同じ矩形の天面が連続しており、左右の縦側面と左右フラップとの境界には、それぞれ１箇所づつ天面との係止用のスリットを有しており、加えて左右の縦側面と左右フラップとの境界には、それぞれ１箇所づつ前フラップとの係止用のスリットを有しており、また手前側の縦側面と前フラップとの境界には、天面との係止用のスリットを有しており、各係止用のスリットに差し込むためのタブが、前フラップの左右、天面の左右、および天面の手前側に連続して設けてあり、左右の縦側面を底面から垂直に折り曲げた後、さらに左右フラップを底面に平行に折り曲げ、手前側の縦側面を底面から垂直に折り曲げた後、前フラップを底面に平行に折り曲げるとともに、前フラップの左右に連続している係止用タブを、左右の縦側面と左右フラップとの境界の係止用のスリットのうち、１箇所づつに差し込んで前および左右フラップを固定し、内容物を包装箱に挿入して固定できるようにするとともに、後方の縦側面を底面から垂直に折り曲げた後、天面を底面に平行に折り曲げるとともに、天面の左右に連続している係止用タブを、左右の縦側面と左右フラップとの境界の係止用のスリットの１箇所づつに差し込み、同時に天面の手前側に連続する係止用タブを、手前側の縦側面と前フラップとの境界の係止用のスリットに差し込んで天面を固定して、直方体に組み立て可能であることを特徴とする包装箱である。
【発明の効果】
【００１１】
本発明によれば、紙製の包装箱において、その構造が簡単で、組立が容易であり、商品を入れやすく、かつ商品を保持しやすく、また開けやすい包装箱を提供することが可能である。
【図面の簡単な説明】
【００１２】
【図１】図１は、本発明に係る包装箱の、一実施態様を説明するための平面展開図である。
【図２】図２は、本発明に係る包装箱の、一実施態様の組立について説明するための斜視模式図である。
【発明を実施するための形態】
【００１３】
以下、本発明を実施するための形態について、図を参照しながら詳細な説明を加える。ただし、本発明はここに示す例にのみ限定されるものではない。本発明は請求項によって限定されるものである。
【００１４】
図１は、本発明に係る包装箱の、一実施態様を説明するための平面展開図である。なお図中の破線は、谷折り線を表している。本発明は、紙を基材とする一枚のブランクス（１００）を組み立ててなる包装箱である。包装箱は、直方体の形状であって、矩形の底面（１）および矩形の天面（２）を有している。
【００１５】
矩形の底面（１）の４辺には、左側の縦側面（３）、右側の縦側面（４）、手前側の縦側面（５）および後方の縦側面（６）が、図中の破線を谷折りとして、直角に折り曲げ可能に接続している。
【００１６】
左側の縦側面（３）および右側の縦側面（４）には、図中の破線を谷折りとして折り曲げ可能に、それぞれ左フラップ（７）、右フラップ（８）が連続している。また手前側の縦側面（５）には、図中の破線を谷折りとして折り曲げ可能に前フラップ（９）が連続している。また、後方の縦側面（６）には、底面（１）と同じ矩形の天面（２）が折り曲げ可能に連続している。
【００１７】
左側の縦側面（３）と左フラップ（７）との境界（２２）上には、天面との係止用スリ
ット（１８）および、前フラップとの係止用スリット（１６）の両方が設けてある。同様に右側の縦側面（４）と右フラップ（８）のとの境界（２３）上には、天面との係止用スリット（１９）および、前フラップとの係止用スリット（１７）の両方が設けてある。
【００１８】
また手前側の縦側面（５）と前フラップ（９）との境界（２１）には、天面との係止用のスリット（２０）を有している。
【００１９】
各係止用のスリットに差し込むためのタブが、前フラップの左右、天面の左右、および天面の手前側に、折り曲げ可能に連続して設けてある。すなわち、左側の縦側面（３）と左フラップ（７）との境界（２２）上にある、天面との係止用スリット（１８）に差し込むためのタブとして、天面（２）の左側に連続して係止用タブ（１２）が設けてある。
【００２０】
同様に、右側の縦側面（４）と右フラップ（８）との境界（２３）上にある、天面との係止用スリット（１９）に差し込むためのタブとして、天面（２）の右側に連続して係止用タブ（１４）が設けてある。
【００２１】
また、左側の縦側面（３）と左フラップ（７）との境界（２２）上にある、前フラップとの係止用スリット（１６）に差し込むためのタブとして、前フラップ（９）の左側に連続して係止用タブ（１０）が設けてある。
【００２２】
同様に、右側の縦側面（４）と右フラップ（８）との境界（２３）上にある、前フラップとの係止用スリット（１７）に差し込むためのタブとして、前フラップ（９）の右側に連続して係止用タブ（１１）が設けてある。
【００２３】
また、手前側の縦側面（５）と前フラップ（９）との境界（２１）状に設けてある、天面との係止用のスリット（２０）に差し込むためのタブとして、天面の手前側に連続して係止用タブ（１５）が設けてある。
【００２４】
このようにして構成された、ブランクス（１００）は、図中の破線部を順次谷折りして、また係止用タブを係止用スリットに差し込んで、直方体の包装箱に組み立てることができる。図２は、本発明に係る包装箱の、一実施態様の組立について説明するための斜視模式図である。
【００２５】
まず、左側の縦側面（３）および右側の縦側面（４）を底面（１）から垂直に折り曲げた後、さらに左フラップ（７）を底面（１）に平行に折り曲げ、同様にして右フラップ（８）も底面（１）に平行に折り曲げる。
【００２６】
次に手前側の縦側面（５）を底面（１）から垂直に折り曲げた後、前フラップ（９）を底面（１）に平行に折り曲げるとともに、前フラップの左側に連続している係止用タブ（１０）、および前フラップの右側に連続している係止用タブ（１１）を、前フラップとの係止用スリット（１６）および、前フラップとの係止用スリット（１７）にそれぞれ差し込んで、前および左右フラップの三方を固定し、内容物を包装箱に挿入して固定できるようにする。
【００２７】
さらに、天面（２）を、底面に平行に折り曲げて、包装箱に蓋をする。このとき、天面（２）の左右に連続している係止用タブ（１２）、および係止用タブ（１４）を、天面との係止用スリット（１８）、および天面との係止用スリット（１９）にそれぞれ差し込む。同時に天面（２）の手前側に連続する係止用タブ（１５）を、手前側の縦側面（５）と前フラップ（９）との境界の、天面との係止用のスリット（２０）に差し込んで天面（２）を固定する。
【００２８】
このように、本発明によれば、その構造が簡単で、組立が容易であり、商品を入れやすく、かつ商品を保持しやすく、また開けやすい包装箱を提供することが可能である。
【００２９】
本発明は、包装箱が一枚のブランクスを組み立てることで形成することができ、構造が簡単である特徴を有する。またブランクスを組み立てる際には、折り目はすべて谷折りで構成されるため、組立も容易である。
【００３０】
組み立てる順番は、はじめに左右の縦側面を折り、左右のフラップを折り曲げた後に手前側の縦側面を折り、前フラップを折り曲げると同時に、係止用タブを係止用スリットに差し込んで前および左右フラップの三方を固定することができるため、この段階で内容物を包装箱に挿入して固定できるようになる。
【００３１】
三方が固定されていることによって、中に入れようとする商品は入れやすくまた、保持しやすい特徴を持つ。これはたとえば、洋服や袋ものなどの布製品や、柔らかい内容物に対しては特に効果的である。
【００３２】
蓋をして、包装箱を閉じる際には、天面を被せると同時に三方の係止用タブを係止用スリットに入れて一度に閉じることができ、作業が簡単で容易であり、迅速に行なうことができる。
【００３３】
同様に、包装箱を開けようとする際には、閉じるときと逆の動作であるから、一度にあけることができ、作業が簡単で容易であり、迅速に行なうことができる。
【００３４】
このように、本発明によれば、その構造が簡単で、組立が容易であり、商品を入れやすく、かつ商品を保持しやすく、また開けやすい包装箱の提供が可能であることが明らかである。
【符号の説明】
【００３５】
１・・・底面
２・・・天面
３・・・左側の縦側面
４・・・右側に縦側面
５・・・手前側の縦側面
６・・・後方の縦側面
７・・・左フラップ
８・・・右フラップ
９・・・前フラップ
１０・・・係止用タブ
１１・・・係止用タブ
１２・・・係止用タブ
１４・・・係止用タブ
１５・・・係止用タブ
１６・・・前フラップとの係止用スリット
１７・・・前フラップとの係止用スリット
１８・・・天面との係止用スリット
１９・・・天面との係止用スリット
２０・・・天面との係止用スリット
２１・・・境界
２２・・・境界
２３・・・境界
１００・・・ブランクス
【図１】
2017186039.tif 000003
【図２】
2017186039.tif 000004